(57)【要約】      （修正有）【課題】フィルタを着脱可能なマスク、および、フィルタを着脱可能なマスクとフィルタとの組み合わせた物を提供する。【解決手段】マスク１Ａは、マスク本体１０と、ポケット形成部材３０とを具備する。マスク本体は、ユーザの口を覆う被覆部１１と、ユーザの身体の一部に取り付けられる取付部１５とを含む。マスク本体およびポケット形成部材によってフィルタ７を挿入可能かつフィルタを取り出し可能なポケットＰが形成されているか、ポケット形成部材によってフィルタを挿入可能かつフィルタを取り出し可能なポケットが形成されている。【選択図】図５
0003227825.tif 000002
【実用新案登録請求の範囲】
【請求項１】
マスク本体と、
ポケット形成部材と
を具備し、
前記マスク本体は、
ユーザの口を覆う被覆部と、
前記ユーザの身体の一部に取り付けられる取付部と
を含み、
前記マスク本体および前記ポケット形成部材によってフィルタを挿入可能かつ前記フィルタを取り出し可能なポケットが形成されているか、前記ポケット形成部材によって前記フィルタを挿入可能かつ前記フィルタを取り出し可能なポケットが形成されている
マスク。
【請求項２】
前記マスク本体の第１身体接触部分は、第１清涼部を含み、
前記ポケット形成部材の第２身体接触部分は、第２清涼部を含む
請求項１に記載のマスク。
【請求項３】
前記第１清涼部の最大熱吸収速度は、０．２Ｗ／ｃｍ２以上であり、
前記第２清涼部の最大熱吸収速度は、０．２Ｗ／ｃｍ２以上である
請求項２に記載のマスク。
【請求項４】
前記第２清涼部の最大熱吸収速度は、前記第１清涼部の最大熱吸収速度よりも大きい
請求項３に記載のマスク。
【請求項５】
前記ポケット形成部材の形状は、背面視で、前記マスク本体の形状と略同一であり、
前記ポケット形成部材の身体接触部分は清涼部を含み、
前記清涼部の最大熱吸収速度は、０．２Ｗ／ｃｍ２以上である
請求項１に記載のマスク。
【請求項６】
前記ポケット形成部材は、背面視で前記フィルタの有無を視認可能なフィルタ視認部を含む
請求項１乃至５のいずれか一項に記載のマスク。
【請求項７】
請求項１乃至６のいずれか一項に記載のマスクと、
前記ポケットに挿入可能なフィルタと
を具備する
マスクとフィルタとの組み合わせ。
【請求項８】
前記フィルタは、
前記ポケットに挿入可能な第１フィルタ部材と、
前記第１フィルタ部材とは別体であり、前記ポケットに挿入可能な第２フィルタ部材と
を備え、
前記ポケットには、前記第１フィルタ部材を単独で挿入可能であり、
前記ポケットには、前記第２フィルタ部材を単独で挿入可能であり、
前記ポケットには、前記第１フィルタ部材と前記第２フィルタ部材とを重ね合わせて挿入可能である
請求項７に記載のマスクとフィルタとの組み合わせ。
【請求項９】
前記フィルタは、前記フィルタの中央部の曲げ剛性よりも曲げ剛性が高い縁部を有する
請求項７または８に記載のマスクとフィルタとの組み合わせ。
【請求項１０】
前記フィルタの色は、前記マスク本体の前記被覆部の色とは異なる色である
請求項７乃至９のいずれか一項に記載のマスクとフィルタとの組み合わせ。
【考案の詳細な説明】
【技術分野】
【０００１】
本考案は、マスク、および、マスクとフィルタとの組み合わせに関する。
【背景技術】
【０００２】
身体に取り付けられるマスクが知られている。近年使用されているマスクのほとんどは、使い捨てタイプのマスクである。マスク全体が使い捨てである場合、環境に対する負荷が大きい。また、全国民の需要に対応するために、大量のマスクの供給が必要となる。
【０００３】
関連する技術として、特許文献１には、使い捨てマスクが開示されている、特許文献１に記載の使い捨てマスクは、顔面に当接可能な通気性本体と、該本体の左右両側にあって耳に掛けることが可能な環状部とを備える。
【先行技術文献】
【特許文献】
【０００４】
【特許文献１】特開平７−２７５３８４号公報
【考案の概要】
【考案が解決しようとする課題】
【０００５】
本考案の目的は、フィルタを着脱可能なマスク、および、フィルタを着脱可能なマスクとフィルタとの組み合わせを提供することである。
【課題を解決するための手段】
【０００６】
本考案は、以下に示す、マスク、および、マスクとフィルタとの組み合わせに関する。
【０００７】
（１）マスク本体と、
ポケット形成部材と
を具備し、
前記マスク本体は、
ユーザの口を覆う被覆部と、
前記ユーザの身体の一部に取り付けられる取付部と
を含み、
前記マスク本体および前記ポケット形成部材によってフィルタを挿入可能かつ前記フィルタを取り出し可能なポケットが形成されているか、前記ポケット形成部材によって前記フィルタを挿入可能かつ前記フィルタを取り出し可能なポケットが形成されている
マスク。
（２）前記マスク本体の第１身体接触部分は、第１清涼部を含み、
前記ポケット形成部材の第２身体接触部分は、第２清涼部を含む
上記（１）に記載のマスク。
（３）前記第１清涼部の最大熱吸収速度は、０．２Ｗ／ｃｍ２以上であり、
前記第２清涼部の最大熱吸収速度は、０．２Ｗ／ｃｍ２以上である
上記（２）に記載のマスク。
（４）前記第２清涼部の最大熱吸収速度は、前記第１清涼部の最大熱吸収速度よりも大きい
上記（３）に記載のマスク。
（５）前記ポケット形成部材の形状は、背面視で、前記マスク本体の形状と略同一であり、
前記ポケット形成部材の身体接触部分は清涼部を含み、
前記清涼部の最大熱吸収速度は、０．２Ｗ／ｃｍ２以上である
上記（１）に記載のマスク。
（６）前記ポケット形成部材は、背面視で前記フィルタの有無を視認可能なフィルタ視認部を含む
上記（１）乃至（５）のいずれか一つに記載のマスク。
（７）上記（１）乃至（６）のいずれか一つに記載のマスクと、
前記ポケットに挿入可能なフィルタと
を具備する
マスクとフィルタとの組み合わせ。
（８）前記フィルタは、
前記ポケットに挿入可能な第１フィルタ部材と、
前記第１フィルタ部材とは別体であり、前記ポケットに挿入可能な第２フィルタ部材と
を備え、
前記ポケットには、前記第１フィルタ部材を単独で挿入可能であり、
前記ポケットには、前記第２フィルタ部材を単独で挿入可能であり、
前記ポケットには、前記第１フィルタ部材と前記第２フィルタ部材とを重ね合わせて挿入可能である
上記（７）に記載のマスクとフィルタとの組み合わせ。
（９）前記フィルタは、前記フィルタの中央部の曲げ剛性よりも曲げ剛性が高い縁部を有する
上記（７）または（８）に記載のマスクとフィルタとの組み合わせ。
（１０）前記フィルタの色は、前記マスク本体の前記被覆部の色とは異なる色である
上記（７）乃至（９）のいずれか一つに記載のマスクとフィルタとの組み合わせ。
【考案の効果】
【０００８】
本考案により、フィルタを着脱可能なマスク、および、フィルタを着脱可能なマスクとフィルタとの組み合わせを提供することができる。
【図面の簡単な説明】
【０００９】
【図１】図１は、実施形態におけるマスクの一例を模式的に示す概略斜視図である。
【図２】図２は、第１の実施形態におけるマスクを模式的に示す概略背面図である。
【図３】図３は、第１の実施形態におけるマスクを模式的に示す概略平面図である。
【図４】図４は、第１の実施形態の第１変形例におけるマスクを模式的に示す概略背面図である。
【図５】図５は、第１の実施形態におけるマスクとフィルタとの組み合わせを模式的に示す概略背面図である。
【図６】図６は、第１の実施形態の第２変形例におけるマスクとフィルタとの組み合わせを模式的に示す概略背面図である。
【図７】図７は、第１の実施形態の第３変形例におけるマスクとフィルタとの組み合わせを模式的に示す概略背面図である。
【図８】図８は、第２の実施形態におけるマスクのマスク本体と、ポケット形成部材とを模式的に示す図である。
【図９】図９は、第２の実施形態におけるマスクを模式的に示す概略平面図である。
【図１０】図１０は、第３の実施形態におけるマスクのマスク本体と、ポケット形成部材とを模式的に示す図である。
【考案を実施するための形態】
【００１０】
以下、図面を参照しつつ、実施形態におけるマスク１、および、マスク１とフィルタ７との組み合わせについて、詳しく説明する。なお、本明細書において、同種の機能を有する部材には、同一または類似の符号が付されている。そして、同一または類似の符号の付された部材について、繰り返しとなる説明が省略される場合がある。
【００１１】
図１を参照して、実施形態におけるマスク１の概要について説明する。図１は、実施形態におけるマスク１の一例を模式的に示す概略斜視図である。
【００１２】
実施形態におけるマスク１は、マスク本体１０を備える。マスク本体１０は、ユーザの口（または、口および鼻）を覆うことが可能な被覆部１１と、ユーザの身体の一部に取り付けることが可能な取付部１５とを備える。
【００１３】
被覆部１１は、空気が通過可能な通気性材料によって構成される。被覆部１１は、例えば、不織布、ガーゼによって構成される。図１に記載の例では、被覆部１１は、ユーザの顔面の左側部分の一部を覆う第１被覆部１１ａと、ユーザの顔面の右側部分の一部を覆う第２被覆部１１ｂとを有する。第２被覆部１１ｂは、第１被覆部１１ａに任意の手段（例えば、逢着、接着、溶着等）によって連結されている。代替的に、第１被覆部１１ａと第２被覆部１１ｂとは一体的に形成された一つの部材によって構成されていてもよい。
【００１４】
図１に記載の例では、取付部１５は、ユーザの一方の耳に取り付けられる第１取付部１５ａと、ユーザの他方の耳に取り付けられる第２取付部１５ｂとを有する。
【００１５】
図１に記載の例では、被覆部１１と取付部１５（より具体的には、第１取付部１５ａおよび第２取付部１５ｂ）とが、一体的に形成された一つの部材によって構成されている。代替的に、被覆部１１と取付部１５とは別々に形成されてもよい。例えば、被覆部１１の一方側に第１取付部１５ａが取り付けられ、被覆部１１の他方側に第２取付部１５ｂが取り付けられるようにしてもよい。
【００１６】
図１に記載の例では、マスク本体１０は、第１取付部１５ａと第２取付部１５ｂとが第１平面上に配置され、かつ、第１取付部１５ａと第２取付部１５ｂとの間の距離が最大限離れるように第１取付部１５ａおよび第２取付部１５ｂが引っ張られた状態において、被覆部１１の中心が第１平面から離れた位置に配置されるタイプの立体型のマスク本体である。代替的に、マスク本体１０は、第１取付部１５ａと第２取付部１５ｂとが第１平面上に配置され、かつ、第１取付部１５ａと第２取付部１５ｂとの間の距離が最大限離れるように第１取付部１５ａおよび第２取付部１５ｂが引っ張られた状態において、被覆部１１の中心が第１平面上に位置する平面型のマスク本体であってもよい。また、マスク本体１０の具体的な形状は、図１に記載の形状に限定されず任意である。
【００１７】
（第１の実施形態）
図２乃至図７を参照して、第１の実施形態におけるマスク１Ａ、および、マスク１Ａとフィルタ７との組み合わせについて説明する。図２は、第１の実施形態におけるマスク１Ａを模式的に示す概略背面図である。図３は、第１の実施形態におけるマスク１Ａを模式的に示す概略平面図である。図４は、第１の実施形態の第１変形例におけるマスク１Ａを模式的に示す概略背面図である。図５は、第１の実施形態におけるマスク１Ａとフィルタ７との組み合わせを模式的に示す概略背面図である。図６は、第１の実施形態の第２変形例におけるマスク１Ａとフィルタ７との組み合わせを模式的に示す概略背面図である。図７は、第１の実施形態の第３変形例におけるマスク１Ａとフィルタ７との組み合わせを模式的に示す概略背面図である。
【００１８】
図２に記載の例において、マスク１Ａは、マスク本体１０と、ポケット形成部材３０とを具備する。
【００１９】
マスク本体１０は、被覆部１１と、取付部１５とを備える。
【００２０】
被覆部１１は、ユーザの口（または、口および鼻）を覆うことが可能な部分である。図２に記載の例では、被覆部１１は、ユーザの顔面の左側部分の一部を覆う第１被覆部１１ａと、ユーザの顔面の右側部分の一部を覆う第２被覆部１１ｂとを有する。
【００２１】
取付部１５は、ユーザの身体の一部に取り付けられる部分である。図２に記載の例では、取付部１５は、ユーザの一方の耳に取り付けられる第１取付部１５ａと、ユーザの他方の耳に取り付けられる第２取付部１５ｂとを有する。第１取付部１５ａは、被覆部１１の第１側縁部１１０ａに接続され、第２取付部１５ｂは、被覆部１１の第２側縁部１１０ｂに接続されている。なお、第２側縁部１１０ｂは、第１側縁部１１０ａとは反対側に配置された側縁部である。
【００２２】
ポケット形成部材３０は、ポケットＰを形成するための部材である。ポケット形成部材３０は、任意の手段（例えば、逢着、接着、溶着等）によって、マスク本体１０（より具体的には、被覆部１１）に取り付けられる。図２に記載の例では、マスク１Ａは、縫合糸４０を含み、ポケット形成部材３０は、縫合糸４０によって、マスク本体１０（より具体的には、被覆部１１）に取り付けられている。
【００２３】
図３に記載の例では、マスク本体１０（より具体的には、被覆部１１）およびポケット形成部材３０によってフィルタを挿入可能かつフィルタを取り出し可能なポケットＰが形成されている。
【００２４】
第１の実施形態におけるマスクは、フィルタを挿入可能かつフィルタを取り出し可能なポケットＰを有する。よって、マスク１Ａの使用期間と、フィルタの使用期間とを、ユーザの好みに合わせて任意に設定することができる。例えば、マスク１Ａを１日使用し、フィルタを半日毎に交換してもよい。また、マスク本体１０が洗濯可能な材料によって構成されている場合、マスク１Ａを、洗濯することによって繰り返し使用してもよい。他方、フィルタは、１回使用の使い捨て部材としてもよい。第１の実施形態におけるマスクでは、マスク１Ａの使用期間と、フィルタの使用期間とを自由に設定可能であるため、ユーザにとってマスクの使用コストが低減される。換言すれば、第１の実施形態では、家計に優しいマスク１Ａを提供することができる。
【００２５】
また、第１の実施形態におけるマスクは、フィルタを挿入可能かつフィルタを取り出し可能なポケットＰを有する。よって、ユーザの好みに合わせて任意のフィルタをポケットＰに挿入することができる。例えば、花粉の侵入を防ぎたいユーザは、花粉を捕捉するフィルタをポケットＰに挿入してもよい。また、ウイルスの侵入を防ぎたいユーザは、ウイルスを捕捉するフィルタをポケットＰに挿入してもよい。
【００２６】
続いて、第１の実施形態のマスク１Ａ、および、マスク１Ａとフィルタ７との組み合わせにおいて採用可能な任意付加的な構成について説明する。
【００２７】
（第１清涼部１９、第２清涼部３９）
図２に記載の例では、マスク本体１０は、身体（より具体的には、顔を含む頭部）に接触する第１身体接触部分１２を有する。第１身体接触部分１２は、例えば、マスク本体１０の背面（換言すれば、ユーザの身体に対向する表面）のうち、ポケット形成部材３０によって覆われていない領域である。
【００２８】
図２に記載の例では、第１身体接触部分１２は、第１清涼部１９を含む。第１清涼部１９は、例えば、第１身体接触部分１２の全体、あるいは、第１身体接触部分１２のうち取付部１５を除く部分である。
【００２９】
図２に記載の例では、ポケット形成部材３０は、身体（より具体的には、顔を含む頭部）に接触する第２身体接触部分３２を有する。第２身体接触部分３２は、例えば、ポケット形成部材３０の背面（換言すれば、ユーザの身体に対向する表面）である。
【００３０】
図２に記載の例では、第２身体接触部分３２は、第２清涼部３９を含む。第２清涼部３９は、例えば、第２身体接触部分３２の全体である。
【００３１】
第１清涼部１９は、ユーザに清涼感を与える部分である。第１清涼部１９は、熱伝導率、および／または、吸水性の高い材料、あるいは、速乾性材料によって構成されていてもよい。代替的に、あるいは、付加的に、第１清涼部１９を構成する繊維に、清涼剤等の清涼物質が添加されていてもよい。
【００３２】
第２清涼部３９は、ユーザに清涼感を与える部分である。第２清涼部３９は、熱伝導率、および／または、吸水性の高い材料、あるいは、速乾性材料によって構成されていてもよい。代替的に、あるいは、付加的に、第２清涼部３９を構成する繊維に、清涼剤等の清涼物質が添加されていてもよい。
【００３３】
第１清涼部１９、および／または、第２清涼部３９の熱伝導率を向上させるため、第１清涼部１９、および／または、第２清涼部３９を構成する繊維が、繊維本体と繊維本体よりも熱伝導率が高い外部コーティング層とを含んでいてもよい。代替的に、あるいは、付加的に、第１清涼部１９、および／または、第２清涼部３９を構成する繊維は、母材となる樹脂よりも熱伝導率の高いフィラーを練り込んだ樹脂からなる繊維であってもよい。代替的に、あるいは、付加的に、第１清涼部１９、および／または、第２清涼部３９を構成する繊維は、熱伝導率の高い繊維によって構成されていてもよい。第１清涼部１９、および／または、第２清涼部３９を構成する繊維は、ポリエステル、ポリエチレン、ナイロン、エチレンビニルアルコール、レーヨン、キュプラ、ポリプロピレン、ポリアミド、アクリル、綿、絹、麻、あるいは、これらの組み合わせであってもよい。
【００３４】
第１清涼部１９、および／または、第２清涼部３９の吸水性を向上させるため、第１清涼部１９、および／または、第２清涼部３９を構成する繊維は、親水性繊維を含んでいてもよい。
【００３５】
親水性繊維としては、液体を保持することができる限り特に限定されず、天然繊維、再生繊維、半合成繊維、合成繊維を用いることができる。親水性の天然繊維としては、例えば、コットン、麻、羊毛、パルプ等の天然セルロース繊維が挙げられる。親水性の再生繊維としては、例えば、レーヨン、ポリノジック、キュプラ等の再生セルロース繊維が挙げられる。親水性の半合成繊維としては、アセテート、トリアセテート等の半合成セルロース繊維が挙げられる。親水性の合成繊維としては、例えば、水酸基、カルボキシル基、スルホン酸基のような親水性官能基、および／または、アミド結合のような親水性結合を有する熱可塑性樹脂で構成される合成繊維等が、例示される。
【００３６】
親水性繊維は、天然セルロース繊維、再生セルロース繊維、半合成セルロース繊維といったセルロース系繊維であってもよい。再生セルロース繊維は、レーヨン（例えば、ビスコースレーヨン）であってもよい。
【００３７】
また、親水性繊維は、ポリアミド系樹脂であってもよい。ポリアミド系樹脂は、例えば、ポリアミド６、ポリアミド６６、ポリアミド１１、ポリアミド１２、ポリアミド６１０、ポリアミド６１２、ポリアミド９２、ポリアミド９Ｃ（ノナンジアミンとシクロヘキサンジカルボン酸からなるポリアミド）のような脂肪族ポリアミドおよびその共重合体、ポリアミド９Ｔ（ノナンジアミンとテレフタル酸からなるポリアミド）のような芳香族ジカルボン酸と脂肪族ジアミンとから合成される半芳香族ポリアミド及びその共重合体である。
【００３８】
第１清涼部１９、および／または、第２清涼部３９を構成する繊維に添加される清涼剤としては、メントール油、ハッカ油などの油、グリセリン、プロピレングリコールなどのアルコール、あるいは、アミノ酸系湿潤剤（例えば、ピロリドンカルボン酸又はその塩類、ピロリジンカルボン酸又はその塩類、アシルピロリジンカルボン酸又はその塩類など）が例示される。
【００３９】
図２に記載の例では、マスク本体１０の第１身体接触部分１２が、第１清涼部１９を含み、ポケット形成部材３０の第２身体接触部分３２が、第２清涼部３９を含む。第１身体接触部分１２および第２身体接触部分３２の両方が清涼部を含んでいることにより、ユーザが感じる清涼感が向上する。また、第１身体接触部分１２および第２身体接触部分３２の両方が清涼部を含んでいることにより、身体接触部分の全体から清涼感を得ることができる。
【００４０】
第１清涼部１９の最大熱吸収速度は、例えば、０．２Ｗ／ｃｍ２以上、０．３Ｗ／ｃｍ２以上、０．４Ｗ／ｃｍ２以上、あるいは、０．５Ｗ／ｃｍ２以上である。最大熱吸収速度が、０．２Ｗ／ｃｍ２以上である場合、ユーザは、優しいひんやり感を感じることができる。最大熱吸収速度が、０．３Ｗ／ｃｍ２以上である場合、ユーザは、標準的なひんやり感を感じることができる。最大熱吸収速度が、０．４Ｗ／ｃｍ２以上または０．５Ｗ／ｃｍ２以上である場合、ユーザは、強いひんやり感を感じることができる。
【００４１】
第２清涼部３９の最大熱吸収速度は、例えば、０．２Ｗ／ｃｍ２以上、０．３Ｗ／ｃｍ２以上、０．４Ｗ／ｃｍ２以上、あるいは、０．５Ｗ／ｃｍ２以上である。最大熱吸収速度が、０．２Ｗ／ｃｍ２以上である場合、ユーザは、優しいひんやり感を感じることができる。最大熱吸収速度が、０．３Ｗ／ｃｍ２以上である場合、ユーザは、標準的なひんやり感を感じることができる。最大熱吸収速度が、０．４Ｗ／ｃｍ２以上または０．５Ｗ／ｃｍ２以上である場合、ユーザは、強いひんやり感を感じることができる。
【００４２】
なお、本明細書において、「最大熱吸収速度（いわゆる、ｑ−ｍａｘ）」は、単位面積あたりに移動する熱流量であり、室温＋２０℃に加熱したセンサーと清涼部（１９、３９）を接触させたときの瞬間的な熱の移動量を意味する。「最大熱吸収速度（ｑ−ｍａｘ）」は、例えば、カトーテック社製の精密迅速熱物性測定装置サーモラボIIＢ（ＫＥＳ−Ｆ７）を用いて測定することができる。
【００４３】
図２に記載の例において、第２清涼部３９の最大熱吸収速度は、第１清涼部１９の最大熱吸収速度より大きくてもよい。第２清涼部３９は、ユーザの口または鼻が接触する部分であり、熱が籠りやすい部分である。第２清涼部３９の最大熱吸収速度が、第１清涼部１９の最大熱吸収速度より大きい場合、第２清涼部３９において熱が籠ることが抑制される。その結果、身体接触部分全体としての清涼感が向上する。
【００４４】
代替的に、第２清涼部３９の最大熱吸収速度は、第１清涼部１９の最大熱吸収速度と等しくてもよく、第１清涼部１９の最大熱吸収速度より小さくてもよい。
【００４５】
（マスク本体１０）
図２に記載の例において、マスク本体１０（より具体的には、被覆部１１）は、ガーゼ等の織物によって構成されていてもよい。マスク本体１０（より具体的には、被覆部１１）が織物によって構成される場合、マスク１Ａの洗濯が容易となる。代替的に、マスク本体１０（より具体的には、被覆部１１）は、不織布によって構成されていてもよい。
【００４６】
図２に記載の例において、マスク本体１０は、幅方向に伸縮性を有することが好ましい。なお、本明細書において、「幅方向」とは、第１取付部１５ａから第２取付部１５ｂに向かう方向あるいは、第２取付部１５ｂから第１取付部１５ａに向かう方向を意味する。また、本明細書において、「伸縮性を有する」とは、無負荷状態における長さをＬ１と定義し、マスクが破壊されない範囲内で最大限延伸された状態における長さをＬ２と定義するとき、Ｌ２／Ｌ１が、１．１以上であることを意味する。
【００４７】
マスク本体１０が幅方向に伸縮性を有する場合、マスク装着時に、耳にかかる負荷が小さくて済む。
【００４８】
なお、マスク本体１０のうち、取付部１５のみが幅方向に伸縮性を有していてもよいし、被覆部１１のみが幅方向に伸縮性を有していてもよいし、取付部１５および被覆部１１の両方が幅方向に伸縮性を有していてもよい。例えば、取付部１５は、ゴム等の弾性材料を含んでいてもよいし、伸縮性を有する合成繊維を含んでいてもよい。
【００４９】
図２に記載の例において、マスク本体１０（より具体的には、被覆部１１）は、一層構造を有していてもよいし、複数層構造を有していてもよい。マスク本体１０（より具体的には、被覆部１１）が複数層構造を有する場合、複数層構造を構成する全ての層は、同一の材質によって構成されていてもよい。代替的に、複数層構造を構成する層のうちの少なくとも一つは、複数層構造を構成する他の層のうちの少なくとも一つと異なる材質によって構成されていてもよい。
【００５０】
図２に記載の例では、第１取付部１５ａは、耳を挿入可能な第１孔部１５ｈを有する。また、第２取付部１５ｂは、耳を挿入可能な第２孔部１５ｋを有する。第１取付部１５ａおよび第２取付部１５ｂの材質は、被覆部１１の材質と同一であってもよいし、被覆部１１の材質と異なっていてもよい。
【００５１】
（ポケット形成部材３０）
図２に記載の例において、ポケット形成部材３０は、ガーゼ等の織物によって構成されていてもよい。ポケット形成部材３０が織物によって構成される場合、マスク１Ａの洗濯が容易となる。代替的に、ポケット形成部材３０は、不織布によって構成されていてもよい。
【００５２】
図２に記載の例において、ポケット形成部材３０は、幅方向に伸縮性を有していてもよいし、幅方向に伸縮性を有していなくてもよい。
【００５３】
図２に記載の例において、ポケット形成部材３０は、一層構造を有していてもよいし、複数層構造を有していてもよい。ポケット形成部材３０が複数層構造を有する場合、複数層構造を構成する全ての層は、同一の材質によって構成されていてもよい。代替的に、複数層構造を構成する層のうちの少なくとも一つは、複数層構造を構成する他の層のうちの少なくとも一つと異なる材質によって構成されていてもよい。
【００５４】
ポケット形成部材３０の材質は、マスク本体１０（より具体的には、被覆部１１）の材質と同一であってもよいし、マスク本体１０（より具体的には、被覆部１１）の材質と異なっていてもよい。
【００５５】
図２に記載の例では、ポケット形成部材３０は、底部３６ｃ、第１側部３６ａ、第２側部３６ｂにおいてマスク本体１０と連結されている。他方、ポケット形成部材３０の頂部３６ｄは、マスク本体１０と連結されていない。図２に記載の例では、ポケットＰは、底部、第１側部、および、第２側部が閉鎖され、頂部が開放されたポケットである。この場合、フィルタをポケットの頂部を介してポケットＰに挿入することができ、フィルタをポケットの頂部を介して取り出すことができる。
【００５６】
代替的に、図４に例示されるように、ポケット形成部材３０は、底部３６ｃと、頂部３６ｄと、第１側部３６ａおよび第２側部３６ｂのうちの一方とにおいてマスク本体１０と連結され、第１側部３６ａおよび第２側部３６ｂのうちの他方においてマスク本体１０と連結されていなくてもよい。また、ポケットＰは、底部と、頂部と、第１側部および第２側部のうちの一方とが閉鎖され、第１側部および第２側部のうちの他方が開放されたポケットであってもよい。この場合、フィルタを開放された側部を介してポケットＰに挿入することができ、フィルタを当該開放された側部を介して取り出すことができる。また、図４では、第１側部３６ａおよび第２側部３６ｂのうちの一方が閉鎖され他方が開放された例が示されているが、更に代替的に、第１側部３６ａおよび第２側部３６ｂの両方が開放されたポケットであってもよい。
【００５７】
（マスク１Ａとフィルタ７との組み合わせ）
続いて、図５乃至図７を参照して、第１の実施形態におけるマスク１Ａとフィルタ７との組み合わせについて説明する。
【００５８】
第１の実施形態におけるマスク１Ａとフィルタ７との組み合わせにおいて、マスク１Ａとしては、図２乃至図４を参照して説明されたマスク１Ａを採用可能である。マスク１Ａについては、図２乃至図４を参照して詳細に説明済みであるため、マスク１Ａについての繰り返しとなる説明は省略する。
【００５９】
図５に記載の例において、フィルタ７は、マスク１ＡのポケットＰに挿入可能であり、マスク１ＡのポケットＰから取り出し可能である。
【００６０】
フィルタ７は、花粉、ウイルス、粉塵等、人体に害を与える粒子を捕捉可能な部材である。フィルタ７が粒子捕捉機能を備える場合、マスク本体１０、および／または、ポケット形成部材３０の粒子捕捉機能は必要最小限でも構わない。この場合、マスク本体１０、および／または、ポケット形成部材３０の材質の選択に際し、肌触りが良い、あるいは、清涼感が大きいなど、ユーザの心地良さをこれまで以上に重視することが可能となる。また、マスク本体１０、および／または、ポケット形成部材３０の厚さを、薄くすることも可能となる。
【００６１】
フィルタ７の粒子捕捉機能を強化する観点から、フィルタ７は、マスク本体１０を介して、マスク本体１０の前面からマスク本体１０の背面に向けて進入する粒子を捕捉可能であることが好ましい。例えば、フィルタ７の目の粗さ（換言すれば、フィルタ７の通気性開口の平均サイズ）が、マスク本体１０の目の粗さ（換言すれば、マスク本体１０の通気性開口の平均サイズ）よりも小さいことにより、マスク本体１０を通過する粒子が、フィルタ７によって捕捉されてもよい。
【００６２】
代替的に、あるいは、付加的に、フィルタ７には、花粉を捕捉するための物質、ウイルスを捕捉するための物質、あるいは、粉塵を捕捉するための物質が適用されていてもよい。
【００６３】
フィルタ７は、例えば、不織布によって構成される。フィルタ７が不織布によって構成される場合、フィルタ７の目の粗さを小さくすることが可能である。図５に記載の例では、フィルタ７は、シートタイプのフィルタである。図５に例示されるように、フィルタ７は、矩形のシートであってもよいし、その他の形状のシートであってもよい。
【００６４】
フィルタ７は、一層構造を有していてもよいし、複数層構造を有していてもよい。フィルタ７が複数層構造を有する場合、複数層構造を構成する全ての層は、同一の材質によって構成されていてもよい。代替的に、複数層構造を構成する層のうちの少なくとも一つは、複数層構造を構成する他の層のうちの少なくとも一つと異なる材質によって構成されていてもよい。
【００６５】
図６に例示されるように、第１の実施形態におけるマスク１Ａとフィルタ７との組み合わせにおいて、フィルタ７は、ポケットＰに挿入可能な第１フィルタ部材７１と、ポケットＰに挿入可能な第２フィルタ部材７２とを有していてもよい。フィルタ７は、ポケットＰに挿入可能な３個以上のフィルタ部材を有していてもよい。
【００６６】
図６に記載の例において、第２フィルタ部材７２は、第１フィルタ部材７１とは別体である。第２フィルタ部材７２が、第１フィルタ部材７１と別体である場合、第１フィルタ部材７１をポケットＰから取り出した後、第２フィルタ部材７２をポケットＰに挿入することが可能である。換言すれば、第１フィルタ部材７１を、第２フィルタ部材７２に交換することが可能である。
【００６７】
また、第２フィルタ部材７２が、第１フィルタ部材７１と別体である場合、（１）ポケットＰに、第１フィルタ部材７１を単独で挿入することができ、（２）ポケットＰに、第２フィルタ部材７２を単独で挿入することができ、（３）ポケットＰに、第１フィルタ部材７１と第２フィルタ部材７２とを重ね合わせて挿入することができる。よって、ユーザは、自分の好みで、挿入するフィルタ部材を選択することができる。
【００６８】
第１フィルタ部材７１と第２フィルタ部材７２とは、同一種類のフィルタ部材であってもよいし、互いに別の種類のフィルタ部材であってもよい。例えば、第２フィルタ部材７２の捕捉ターゲット（例えば、花粉）と、第１フィルタ部材７１の捕捉ターゲット（例えば、ウイルス）とが異なっていてもよい。フィルタ部材は、種類毎に、異なる色を有していてもよい。例えば、第１の捕捉ターゲットを捕捉するための第１フィルタ部材７１が、第１の色を有し、第２の捕捉ターゲットを捕捉するための第２フィルタ部材７２が、第２の色を有していてもよい。
【００６９】
図６に例示されるように、フィルタ７は、フィルタ７の中央部７ｃの曲げ剛性よりも曲げ剛性が高い縁部７ｅを有していてもよい。フィルタ７が、相対的に曲げ剛性が高い縁部７ｅを有する場合、ポケットＰへのフィルタ７の挿入が容易となる。
【００７０】
図６に例示されるように、フィルタ７の側縁部（７ｅ）の曲げ剛性が、フィルタ７の中央部７ｃの曲げ剛性より高くてもよい。代替的に、あるいは、付加的に、フィルタ７の底縁部の曲げ剛性、および／または、フィルタ７の頂縁部の曲げ剛性が、フィルタ７の中央部７ｃの曲げ剛性より高くてもよい。
【００７１】
図７に記載の例では、ポケット形成部材３０は、背面視でフィルタ７の有無を視認可能なフィルタ視認部３７を含む。なお、背面視とは、マスクの裏面からマスクの表面に向かう方向に沿って見ることを意味する。フィルタ視認部３７は、孔３７ｈであってもよいし、スリットであってもよいし、透明部分であってもよいし、その他の形態の視認部であってもよい。
【００７２】
ポケット形成部材３０が、背面視でフィルタ７の有無を視認可能なフィルタ視認部３７を有する場合、ユーザは、マスク１Ａを装着する直前に、マスク１ＡのポケットＰにフィルタ７が挿入されているか否かを確認することができる。
【００７３】
フィルタ７の色は、マスク本体１０の被覆部１１の色とは異なる色であってもよい。フィルタ７の色が、被覆部１１の色と異なる場合、フィルタ７がポケットＰに挿入された後、ポケットＰの開口を介して、フィルタ７が正しい姿勢（例えば、折れ曲がりのない姿勢）でポケットＰに配置されているか否かを容易に確認することができる。また、ポケット形成部材３０にフィルタ視認部３７が設けられている場合、フィルタ視認部３７を介して、フィルタ７が挿入されているか否かを容易に確認することができる。また、フィルタ７には、ユーザが好む香りが付加されていてもよい。
【００７４】
（第２の実施形態）
図８および図９を参照して、第２の実施形態におけるマスク１Ｂ、および、マスク１Ｂとフィルタ７との組み合わせについて説明する。図８は、第２の実施形態におけるマスク１Ｂのマスク本体１０と、ポケット形成部材３０Ｂとを模式的に示す図である。図８の上側には、マスク本体１０とポケット形成部材３０Ｂとが連結される前の状態が示され、図８の下側には、マスク本体１０とポケット形成部材３０Ｂとが連結された後の状態が示されている。図９は、第２の実施形態におけるマスク１Ｂを模式的に示す概略平面図である。
【００７５】
第２の実施形態におけるマスク１Ｂ、および、マスク１Ｂとフィルタ７との組み合わせは、ポケット形成部材３０Ｂの形状が、背面視で、マスク本体１０の形状と略同一である点において、第１の実施形態におけるマスク１Ａ、および、マスク１Ａとフィルタ７との組み合わせとは異なる。その他の点では、第２の実施形態におけるマスク１Ｂ、および、マスク１Ｂとフィルタ７との組み合わせは、第１の実施形態におけるマスク１Ａ、および、マスク１Ａとフィルタ７との組み合わせと同様である。
【００７６】
第２の実施形態では、第１の実施形態と異なる点を中心に説明し、第１の実施形態において説明済みの事項についての繰り返しとなる説明は省略する。よって、第２の実施形態において明示的に説明されなかったとしても、第２の実施形態において、第１の実施形態で説明済みの事項を採用可能であることは言うまでもない。
【００７７】
図８に記載の例では、ポケット形成部材３０Ｂの形状が、背面視で、マスク本体１０の形状と略同一である。この場合、例えば、ポケット形成部材３０Ｂを打ち抜き形成するための打ち抜き型と、マスク本体１０を打ち抜き形成するための打ち抜き型とを同一形状の打ち抜き型とすることができる。また、ポケット形成部材３０Ｂの形状と、マスク本体１０の形状とが完全同一である場合には、マスク１Ｂを構成する部材の種類を減らすことができる。こうして、マスク１Ｂの製造コストを低減することができる。
【００７８】
図８に記載の例では、マスク１Ｂは、略矩形形状のポケットＰを有している。また、図８に記載の例では、ポケットＰの第１側部に対応する第１連結領域Ｒ１において、マスク本体１０とポケット形成部材３０とが連結（例えば、逢着、溶着、あるいは、接着）され、ポケットＰの第２側部に対応する第２連結領域Ｒ２において、マスク本体１０とポケット形成部材３０とが連結（例えば、逢着、溶着、あるいは、接着）され、ポケットＰの底部に対応する第３連結領域Ｒ３において、マスク本体１０とポケット形成部材３０とが連結（例えば、逢着、溶着、あるいは、接着）されている。
【００７９】
図８に記載の例では、マスク本体１０の外周縁部１０ｕとポケット形成部材３０との外周縁部３０ｕとが連結（例えば、逢着、溶着、あるいは、接着）されている。
【００８０】
代替的に、ポケットＰに対応する領域以外の領域全体において、マスク本体１０とポケット形成部材３０とが連結（例えば、溶着、あるいは、接着）されていてもよい。
【００８１】
図８に記載の例では、ポケット形成部材３０Ｂの形状が、背面視で、マスク本体１０の形状と略同一である。この場合、マスク本体１０は、ユーザの身体に接触する身体接触部分を実質的に有さない。そして、ポケット形成部材３０Ｂの背面（換言すれば、ユーザの身体に対向する表面）のみが、実質的に、ユーザの身体に接触する身体接触部分（３２）を備える。図８に記載の例では、身体接触部分（３２）は、清涼部（３９）を含む。清涼部（３９）は、例えば、身体接触部分（３２）の全体である。清涼部（３９）の最大熱吸収速度は、例えば、０．２Ｗ／ｃｍ２以上、０．３Ｗ／ｃｍ２以上、０．４Ｗ／ｃｍ２以上、あるいは、０．５Ｗ／ｃｍ２以上である。
【００８２】
第２の実施形態は、第１の実施形態と同様の効果を奏する。
【００８３】
（第３実施形態）
図１０を参照して、第３の実施形態におけるマスク１Ｃ、および、マスク１Ｃとフィルタ７との組み合わせについて説明する。図１０は、第３の実施形態におけるマスク１Ｃのマスク本体１０と、ポケット形成部材３０Ｃとを模式的に示す図である。図１０の上側には、マスク本体１０とポケット形成部材３０Ｃとが連結される前の状態が示され、図１０の下側には、マスク本体１０とポケット形成部材３０Ｃとが連結された後の状態が示されている。
【００８４】
第３の実施形態におけるマスク１Ｃ、および、マスク１Ｃとフィルタ７との組み合わせは、ポケット形成部材３０Ｃのみによってフィルタ７を挿入可能かつフィルタ７を取り出し可能なポケットＰが形成されている点において、第１の実施形態におけるマスク１Ａ、および、マスク１Ａとフィルタ７との組み合わせとは異なる。その他の点では、第３の実施形態におけるマスク１Ｃ、および、マスク１Ｃとフィルタ７との組み合わせは、第１の実施形態におけるマスク１Ａ、および、マスク１Ａとフィルタ７との組み合わせと同様である。
【００８５】
第３の実施形態では、第１の実施形態と異なる点を中心に説明し、第１の実施形態において説明済みの事項についての繰り返しとなる説明は省略する。よって、第３の実施形態において明示的に説明されなかったとしても、第３の実施形態において、第１の実施形態で説明済みの事項を採用可能であることは言うまでもない。
【００８６】
図１０に記載の例では、ポケット形成部材３０Ｃは、マスク本体１０に直接接触配置される第１面部３８ａと、マスク本体１０に直接接触しない第２面部３８ｂとを有する。第１面部３８ａは、マスク本体１０と第２面部３８ｂとの間に配置される。
【００８７】
ポケット形成部材３０Ｃと、マスク本体１０とは任意の方法で連結される。例えば、第１面部３８ａの外縁部全体とマスク本体１０とが溶着または接着されてもよい。代替的に、ポケット形成部材３０Ｃの底部および２つの側部が、マスク本体１０と、逢着、溶着または接着されてもよい。
【００８８】
第３の実施形態は、第１の実施形態または第２の実施形態と同様の効果を奏する。
【００８９】
本考案は上記各実施形態に限定されず、本考案の技術思想の範囲内において、各実施形態または各変形例は適宜変形又は変更され得ることは明らかである。また、各実施形態または各変形例で用いられる種々の技術は、技術的矛盾が生じない限り、他の実施形態または他の変形例にも適用可能である。さらに、各実施形態または各変形例における任意付加的な構成は、適宜省略可能である。
【産業上の利用可能性】
【００９０】
本考案のマスク、または、マスクとフィルタとの組み合わせを用いると、マスクにフィルタを挿入するのが容易であり、および、マスクからフィルタを取り出すのが容易である。この場合、ユーザは、自分の好みに合わせて、マスクの運用スタイルを構築することができる。例えば、洗濯することによってマスクを繰り返し使用し、フィルタのみ使い捨てとすることも可能である。したがって、マスクとフィルタとを組み合わせて使用するユーザ、および、マスクあるいはフィルタを製造する製造業者にとって有用である。
【符号の説明】
【００９１】
１、１Ａ、１Ｂ、１Ｃ…マスク、７…フィルタ、７ｃ…中央部、７ｅ…縁部、１０…マスク本体、１０ｕ…外周縁部、１１…被覆部、１１ａ…第１被覆部、１１ｂ…第２被覆部、１２…第１身体接触部分、１５…取付部、１５ａ…第１取付部、１５ｂ…第２取付部、１５ｈ…第１孔部、１５ｋ…第２孔部、１９…第１清涼部、３０、３０Ｂ、３０Ｃ…ポケット形成部材、３０ｕ…外周縁部、３２…第２身体接触部分、３６ａ…第１側部、３６ｂ…第２側部、３６ｃ…底部、３６ｄ…頂部、３７…フィルタ視認部、３７ｈ…孔、３８ａ…第１面部、３８ｂ…第２面部、３９…第２清涼部、４０…縫合糸、７１…第１フィルタ部材、７２…第２フィルタ部材、１１０ａ…第１側縁部、１１０ｂ…第２側縁部、Ｐ…ポケット、Ｒ１…第１連結領域、Ｒ２…第２連結領域、Ｒ３…第３連結領域
【図１】
0003227825.tif 000003
【図２】
0003227825.tif 000004
【図３】
0003227825.tif 000005
【図４】
0003227825.tif 000006
【図５】
0003227825.tif 000007
【図６】
0003227825.tif 000008
【図７】
0003227825.tif 000009
【図８】
0003227825.tif 000010
【図９】
0003227825.tif 000011
【図１０】
0003227825.tif 000012
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
マスク本体と、
ポケット形成部材と
を具備し、
前記マスク本体は、
ユーザの口を覆う被覆部と、
前記ユーザの身体の一部に取り付けられる取付部と
を含み、
前記マスク本体および前記ポケット形成部材によってフィルタを挿入可能かつ前記フィルタを取り出し可能なポケットが形成されているか、前記ポケット形成部材によって前記フィルタを挿入可能かつ前記フィルタを取り出し可能なポケットが形成されている
マスク。
【請求項２】
前記マスク本体の第１身体接触部分は、第１清涼部を含み、
前記ポケット形成部材の第２身体接触部分は、第２清涼部を含む
請求項１に記載のマスク。
【請求項３】
前記第１清涼部の最大熱吸収速度は、０．２Ｗ／ｃｍ２以上であり、
前記第２清涼部の最大熱吸収速度は、０．２Ｗ／ｃｍ２以上である
請求項２に記載のマスク。
【請求項４】
前記第２清涼部の最大熱吸収速度は、前記第１清涼部の最大熱吸収速度よりも大きい
請求項３に記載のマスク。
【請求項５】
前記ポケット形成部材の形状は、背面視で、前記マスク本体の形状と略同一であり、
前記ポケット形成部材の身体接触部分は清涼部を含み、
前記清涼部の最大熱吸収速度は、０．２Ｗ／ｃｍ２以上である
請求項１に記載のマスク。
【請求項６】
前記ポケット形成部材は、背面視で前記フィルタの有無を視認可能なフィルタ視認部を含む
請求項１乃至５のいずれか一項に記載のマスク。
【請求項７】
請求項１乃至６のいずれか一項に記載のマスクと、
前記ポケットに挿入可能なフィルタと
を具備する
マスクとフィルタとを組み合わせた物。
【請求項８】
前記フィルタは、
前記ポケットに挿入可能な第１フィルタ部材と、
前記第１フィルタ部材とは別体であり、前記ポケットに挿入可能な第２フィルタ部材と
を備え、
前記ポケットには、前記第１フィルタ部材を単独で挿入可能であり、
前記ポケットには、前記第２フィルタ部材を単独で挿入可能であり、
前記ポケットには、前記第１フィルタ部材と前記第２フィルタ部材とを重ね合わせて挿入可能である
請求項７に記載のマスクとフィルタとを組み合わせた物。
【請求項９】
前記フィルタは、前記フィルタの中央部の曲げ剛性よりも曲げ剛性が高い縁部を有する
請求項７または８に記載のマスクとフィルタとを組み合わせた物。
【請求項１０】
前記フィルタの色は、前記マスク本体の前記被覆部の色とは異なる色である
請求項７乃至９のいずれか一項に記載のマスクとフィルタとを組み合わせた物。